(57)【要約】【課題】それ自体で壁掛けのような装飾物とすることができるだけでなく、支持枠を使用したときには、垣根や垂直な面構造モニュメントを構成することができ、さらには、建物の壁や橋脚の表面、あるいは擁壁等の垂直面に対して植生を行うことのできる緑化パネルを簡単な構成によって提供すること。【解決手段】少なくともポット苗の植え込みが可能な作業開口を少なくとも前面に形成したパネル枠１０と、このパネル枠１０の直ぐ内側に配置されて支持され、作業開口１３の外側からの切開作業が可能で吸水性及び復元性を有した袋状マット材２０Ａと、この袋状マット材２０Ａの内側に充填されて、植生植物Ｐを生育させるための植生基材３０またはこれを充填した立体網状マットとにより構成したこと。【選択図】図４
2004254559.tif 000002
【特許請求の範囲】
【請求項１】
少なくともポット苗の植え込みが可能な作業開口を少なくとも前面に形成したパネル枠と、このパネル枠の直ぐ内側に配置されて支持され、前記作業開口の外側からの切開作業が可能で吸水性及び復元性を有した袋状マット材と、この袋状マット材の内側に充填されて、植生植物を生育させるための植生基材またはこれを充填した立体網状マットとにより構成したことを特徴とする緑化パネル。
【請求項２】
少なくともポット苗の植え込みが可能な作業開口を少なくとも前面に形成したパネル枠と、このパネル枠の直ぐ内側に配置されて支持され、前記作業開口の外側からの切開作業が可能で吸水性及び復元性を有したマット材と、このマット材の内側に収納されて、植生植物を生育させるための植生基材またはこれを充填した立体網状マットとにより構成したことを特徴とする緑化パネル。
【請求項３】
前記パネル枠に吊下具を取り付けて、この吊下具を利用して支持枠に複数を取り付けることにより、垣根や垂直な面構造モニュメントを構成するか、あるいは、建物の壁、橋脚の表面、擁壁等の垂直面での植生を行うようにしたことを特徴とする請求項１または請求項２に記載の緑化パネル。
【請求項４】
前記パネル枠を、断面略コ字状の第１支持枠本体と、これに合わせたときに略箱状の収納部を形成することになる断面略コ字状の第２支持枠本体と、これらの第１及び第２支持枠本体の端部同士を留める留め線材とにより構成したことを特徴とする請求項１〜請求項３のいずれかに記載の緑化パネル。
【請求項５】
前記パネル枠を、複数の格子線材によって上面が開放されて挿入口となる略箱形の箱枠とし、前記挿入口部分に開閉自在な開閉扉を設けたことを特徴とする請求項１〜請求項３のいずれかに記載の緑化パネル。
【請求項６】
前記袋状マット材またはマット材は、合成樹脂繊維を不織布状に成形したものであり、厚さが２ｍｍ〜１０ｍｍであることを特徴とする請求項１〜請求項５のいずれかに記載の緑化パネル。
【請求項７】
前記植生基材の上または上部内に、当該植生基材内へのかん水を行い、かつ少なくとも一端にて他の緑化パネル側へ連結し得る連結部を有したかん水パイプを収納したことを特徴とする請求項１〜請求項６のいずれかに記載の緑化パネル。
【発明の詳細な説明】
【０００１】
【発明の属する技術分野】
本発明は、それ自体で壁掛けのような装飾物とすることができるだけでなく、支持枠を使用したときには、垣根や垂直な面構造モニュメントを構成することができ、さらには、建物の壁や橋脚の表面、あるいは擁壁等の垂直面に対して植生を行うことのできる緑化パネルに関し、特に、花や植生植物の播種、あるいはポット苗の植え付け作業を簡略化できて、花や植生植物の生育を良好にし得るようにした緑化パネルに関するものである。
【０００２】
【従来の技術】
家屋を囲む垣根を形成するには低樹木を植えるが、この低樹木の植え付け場所としては幅広い土地が必要になる。また、イベント会場での仕切を鉢植え花で行う場合、その鉢を置く広い場所が必要になる。もし、これらの低樹木や鉢植え花が幅の狭い場所であっても、垂直方向に植え付けることができれば、限られた地面を有効に利用できることになる。さらには、イベント会場や、擁壁が形成されている地面は、コンクリートやアスファルトで覆われていることが多いため、そこに花を植えたり植生を施すことは、そもそもできない。
【０００３】
さらに、建物の壁や橋脚の表面、切り通し道路脇の壁、あるいは擁壁等の垂直面は、これを形成しているコンクリートが剥き出しになったままの場合が多く、そのままでは、無味乾燥な状態となっていて景観上余り好ましくない。そこで、このコンクリート剥き出しの垂直面に対して、例えばペンキ等によって絵を書き入れるか、あるいは種々な装飾を施して、その付近を通る人達に対して安らぎを与える景観とすることが試みられている。
【０００４】
中でも、「花」を代表とする植物をこの垂直面に生育させて飾ること、つまり垂直面に対する「植生」が種々試みられているのであるが、これらの壁や擁壁が垂直面を形成しているものであってみれば、緩やかな傾斜面である法面におけるような従来の植生技術は適用することが困難であり、何等かの新たな手段の開発が必要となっている
そこで、例えば、特許文献１で提案されているような「壁面緑化用ユニットパネル」、特許文献２で提案されているような「緑化パネルを用いた緑化工法」、あるいは特許文献３で提案されているような「緑化パネル」が開発されてきたのである。
【０００５】
【特許文献１】特開２００２−９７６５３号公報、要約、図３
【０００６】
【特許文献２】特開２０００−１８５７号公報、特許請求の範囲、段落０００６、図１
【０００７】
【特許文献３】特開２００１−３２０９６８号公報、請求項３、段落０００６、段落０００２７、図２。
【０００８】
【発明が解決しようとする課題】
上記の特許文献１で提案されている「壁面緑化用ユニットパネル」は、図２０に示すように、「アルミニウム形材で構成された仕切板２を有する枠体１に、アルミニウム平板よりなる底板、多孔質成形体ブロックよりなり、透水性及び保水性を有する植栽土壌基盤５を収納し、枠体１の表面に格子状押さえ材６を設置して、枠体１により一体化する」（要約）ものであるが、「植栽土壌基盤５を収納した枠体１の表面に格子状押さえ材６を設置した」ものであるため、「低比重材料で製造されたフレームの剛性をフレームの断面を大きくすることなく高めてフレームの変形を防止するとともに壁面緑化用パネルの大型化を可能にする」ことはできるものの、植栽土壌基盤５内への播種やポット苗の植え付けが困難であると考えられる。
【０００９】
何故なら、この特許文献１のパネルでは、大型化を可能にすることに主眼が置かれているため、実際の植生植物の種子や苗をどのように施工していくか、については何らの意も用いられていないからである。その証拠に、この特許文献１中には、植生植物の播種や植え付けについては一切言及がないのである。
【００１０】
また、この特許文献１のパネルでは、植栽土壌基盤５の表面に格子状押さえ材６を直接設置したものとなっているため、植栽土壌基盤５がこの格子状押さえ材６の網目からこぼれ出てしまうという可能性も考えられ、頻繁にメンテナンスを行うわけにはいかない橋脚の垂直面への緑化工法としては、適していないとも考えられる。
【００１１】
次に、特許文献２で提案されている「緑化パネルを用いた緑化工法」は、図２１に示すように、骨格体６と、骨格体に張設されるフィルター３とによって形成された箱状枠体Ａと、箱状枠体Ａ内に収容された土壌及び各種肥料、保水材などを混合した植生基盤材４とから構成した箱状枠体の表装部分に、種子を播種するか吹き付け、あるいは苗を植栽するものである。（特許請求の範囲）
ところが、この箱状枠体の表面には、上述したようにフィルター３が存在しているのであるから、種子の播種の吹き付けもこのフィルター３が邪魔をして困難になるのではないかと、考えられる。
【００１２】
そして、特許文献３で提案されている「緑化パネル」は、図２２に示すように、「パネル枠２と、この表面・裏面にそれぞれ貼設されるパンチングメタルやメッシュ等の有孔板３と、この有孔板感に充填される通水性と保水性を有する充填材４と、少なくとも一方の有孔板３の外面に貼設される植生マット５から構成したものである。
【００１３】
従って、この特許文献３で提案されている「緑化パネル」では、上記特許文献１や２と同様に、有孔板３が表面に存在していることから、この有孔板３が播種や植え付けの邪魔になると考えられるのである。しかも、長期間の設置によって、有孔板３が充填材４から剥離したり浮き上がったりして、植生植物の根が切られてしまうことも十分考えられるため、頻繁にメンテナンスを行うわけにはいかない橋脚の垂直面への緑化工法としては、適していないとも考えられる。
【００１４】
特に、上記特許文献１〜３のいずれにおいても、言わば１回こっきりの植生しか考慮されてはおらず、次の季節での、あるいは別の場所での植生をどうするか、つまり再使用を如何にするか、については何等対策は講じられていないように思われる。つまり、一年草による植生を行おうとすると、上記各文献の技術では全体の施工のし直しを迫られるのであり、コスト上からもまた作業上からも、考慮が必要となっているものと考えられる。
【００１５】
そこで、本発明者等は、この種の垂直面に対する植生を行うにあたって、上述した問題点を解消するにはどうしたらよいか、について種々検討を重ねてきた結果、次の諸点を同時に解決することが必要であることを見出し、本発明を完成したのである。
【００１６】
（イ）植生基材の入れ替えや、花や植生植物の植え替えが簡単に行えるものでなければならない。
（ロ）花や植生植物の播種や植え付け作業が外から容易に行えるものでなければならない。
（ハ）垂直に立てられることになる植生基材を保護するマットは、中の植生基材が外に零れ出ないようにする機能を有していなければならないことは当然として、これとは逆の、植生基材からの植生植物の発芽及び葉や茎の発生を良好にする機能を備えていなければならない。
（ニ）特に、花や植生植物として、ある程度発根しかつ成長させてあって、植え付け後の生育管理が簡単に行える「ポット苗」を採用することができるようにして、単なる「緑」だけでなく「花」も楽しめるようにしなければならない。
（ホ）当然のことながら、それ自体で垂直面を構成することができるだけでなく、壁などの垂直面に対する取付や設置が良好に行えるものでなければならない。
のである。
【００１７】
すなわち、本発明の目的とするところは、上記の（イ）〜（ホ）を同時解決して、それ自体で壁掛けのような装飾物とすることができるだけでなく、支持枠を使用したときには、垣根や垂直な面構造モニュメントを構成することができ、さらには、建物の壁や橋脚の表面、あるいは擁壁等の垂直面に対して植生を行うことのできる緑化パネルを簡単な構成によって提供することにある。
【００１８】
【課題を解決するための手段】
以上の課題を解決するために、まず、請求項１に係る発明の採った手段は、後述する実施の形態の説明中において使用する符号を付して説明すると、
「少なくともポット苗７０の植え込みが可能な作業開口１３を少なくとも前面に形成したパネル枠１０と、このパネル枠１０の直ぐ内側に配置されて支持され、作業開口１３の外側からの切開作業が可能で吸水性及び復元性を有した袋状マット材２０Ａと、この袋状マット材２０Ａの内側に充填されて、植生植物Ｐを生育させるための植生基材３０またはこれを充填した立体網状マット４０とにより構成したことを特徴とするする緑化パネル１００」
である。
【００１９】
すなわち、この請求項１に係る緑化パネル１００は、図４、図５、あるいは図１４に示すように、これ単独で「壁掛け」としても使用できるだけでなく、支持枠２００を介して取付施工すれば、図１等に示すように、建物の壁や橋脚の表面、あるいは擁壁等の垂直面３００に対して植生を可能にするものであり、さらには、図１８あるいは図１９に示すように、垂直面構造物モニュメントを構成することもできるものであり、これを用いた緑化工法とともに説明すると、次の通りである。
【００２０】
この請求項１に係る緑化パネル１００は、まず、図６及び図８、または図９に示すように、多数の格子線材１２を使用して枠本体１１としたパネル枠１０を有したものであり、このパネル枠１０は、少なくともポット苗７０の植え込みが可能な作業開口１３を少なくとも前面に形成したものである。各作業開口１３は、図１１〜図１３に示すような作業が外から行え、かつポット苗７０の植え付けも行える必要があり、後述する実施形態では、一辺が約１０ｃｍ〜１５ｃｍ程度となる四角形状のものにしてある。
【００２１】
また、このパネル枠１０は、図６に示すように、それぞれ断面「コ」字状の第１支持枠本体１１ａと第２支持枠本体１１ｂとを交互に組み合わせたものであってもよく、また、図９に示すように、開閉扉１１ｄを有する箱枠１１ｃを使用して構成したものであってもよい。
【００２２】
なお、後述する実施形態のパネル枠１０においては、図６の（ｂ）に示すように、その底となる部分に補強アングル１５を設けておき、この補強アングル１５によって直下に位置することがある支持枠２００の支持パイプ２１１上に支持させるようにしている。つまり、この補強アングル１５は、簡単なＬ金具によって構成したものであり、パネル枠１０全体の補強を下部にて行うものである。
【００２３】
勿論、このパネル枠１０としては、金属板に作業開口１３をパンチングしたものであってもよく、言わば大きな穴である各作業開口１３が存在しても、後述する袋状マット材２０Ａの保持が十分行えるものであれば、上述したものに限られるものではない。
【００２４】
このパネル枠１０を構成している枠本体１１の直ぐ内側には、図４に示すように、吸水性及び復元性を有した袋状マット材２０Ａが配置されて支持されるのである。この袋状マット材２０Ａは、作業開口１３の外側からの切開作業が可能で吸水性及び復元性を有したものであり、後述する実施形態で例示しているように、ポリエチレンテレフタレート（以下、単にペットという）のような合成樹脂の繊維を不織布状に成形したものである。勿論、この袋状マット材２０Ａは、図４に示すように、中に植生基材３０を充填したものとしてパネル枠１０内に挿入しなければならないものであるから、文字通り袋状のものとして形成してある。
【００２５】
以下の実施形態で例示する袋状マット材２０Ａは、図１０に示すように、上記ペットを材料として箱形の袋状物として形成されるものであり、図１０の（ｂ）に示すように、上部がマット開口２１とし、このマット開口２１を開閉蓋２３によって覆うようにしたものである。そして、この開閉蓋２３は、裏面等に取り付けた面ファスナー２４によって閉じ状態を固定するようにしたものである。
【００２６】
なお、図１０に示した実施形態の袋状マット材２０Ａは、その表面となる部分に開閉自在なポケット２５を、当該袋状マト材２０Ａを構成しているペットと同じ材料によってその前面側に形成したものであり、このポケット２５を利用してポット苗７０等の植栽を行えるようにしてもある。また、この実施形態の袋状マット材２０Ａでは、図１０に示すように、その底部にペットからなる補強マット２６を入れて二重部分を構成しているものであり、植生基材３０を入れた当該袋状マット材２０Ａの、当該二重部分に掛かる植生基材３０及びこれに含まれる水分の重量に対する耐久性確保を行っているものでもある。
【００２７】
この袋状マット材２０Ａは、図４に示した状態になったとき、内部の植生基材３０の零れ出を防止することは当然として、図１１及び図１２に示すような切り込み８０を入れて拡げたとしても、それ自体の、あるいは水を含んだときの復元性によって、図１３に示すように、再び閉じるものである。つまり、この袋状マット材２０Ａは、内部の植生基材３０の漏れ出を、これに切り込み８０を入れたときもそうでないときも、確実に防止するものである。
【００２８】
この袋状マット材２０Ａの内側に充填されて、植生植物Ｐを生育させるための植生基材３０は、ポット苗７０あるいは植生植物Ｐの生育に十分なものであれば種々なものが適用できるのである。特に、この植生基材３０は、袋状マット材２０Ａ内に充填されてしまって外部に漏れ出ることがないのであるから、その粒度や性質には限定条件が要求されるものではない。勿論、この袋状マット材２０Ａの内側に充填されるのは、上記のような植生基材３０単独の場合もあるが、この植生基材３０を充填した立体網状マット４０であることもある。
【００２９】
一方、立体網状マット４０は、金属線材を使用して形成しても、合成樹脂性マットの密度を粗くしたものでもよいが、いずれにしても、吹き付けや手込め等によって内部に植生基材３０を充填でき、しかも植生植物Ｐの根の成長に支障のない状態のものであれば何であってもよい。また、この立体網状マット４０は、上述した材料によってマット状のものとして形成されるものであり、それだけである程度の剛性を有したものとするのが有利である。何故なら、このような立体網状マット４０であれば、パネル枠１０内への収納が簡単であり、長期間の使用によっても形状の維持がなされるからである。
【００３０】
以上のように構成した請求項１に係る緑化パネル１００を施工するには、まず、植生基材３０単独、あるいはこれを充填した立体網状マット４０を充填した袋状マット材２０Ａを、図４に示すように、垂直面３００にパネル枠１０をアンカー２７を利用して直接的に固定するか、または図１に示すように、支持枠２００によって間接的に固定する。あるいは、地面や圃場等の図示しない生育場所に配置したパネル枠１０内に、植生基材３０単独、あるいはこれを充填した立体網状マット４０を充填した袋状マット材２０Ａを装入する必要がある。
【００３１】
つまり、緑化パネル１００を施工するには、緑化パネル１００を構成しているパネル枠１０が、図３あるいは図４に示すように、既に垂直面３００等に直接あるいは支持枠２００を介して取り付けられている場合と、垂直面３００上ではない圃場等の図示しない生育場所に設置されている場合の２通りが考えられるのである。パネル枠１０が、図４に示すように、既に垂直面３００等に直接あるいは支持枠２００を介して取り付けられている場合としては、当該緑化パネル１００のメンテナンス時が考えられる。一旦植えられた花や植生植物Ｐは部分的に枯れることがあるが、その枯れた花や植生植物Ｐの植え替えを行うときには、パネル枠１０を垂直面３００等に取り付けたままの状態で行うことがあるのである。
【００３２】
特に、パネル枠１０を図示しない生育場所に設置するのは、この緑化パネル１００にポット苗７０の植え付けや植生植物Ｐの播種等を垂直面３００ではない場所で行い、ある程度に生育した植生植物Ｐをパネル枠１０毎、施工現場である垂直面３００に運んで、当該緑化パネル１００の施工が完了したときには、図１４に示すように、植生植物Ｐが花が咲いている状態にしたい場合があるからである。
【００３３】
ところで、この緑化パネル１００に対しては、当然のことながら、播種やポット苗７０の植え込みを行わなくてはならない。それには、図１１に示すように、パネル枠１０の作業開口１３から袋状マット材２０Ａを切開して切り込み８０を形成し、これを拡げることによりできたマット開口２１から植生基材３０内に、播種またはポット苗７０の植え付けを行うのである。図１１〜図１３には、ポット苗７０の植え込みを行う場合の例が示してあるが、まず、図１１に示すように、パネル枠１０の作業開口１３からは袋状マット材２０Ａの表面が大きく露出しているから、この作業開口１３からカッター等を挿入して切り込み８０を形成するのである。この切り込み８０は、図１１に示したように、×印のような状態で形成するのが、図１２に示すようなマット開口２１を形成するのに有利である。
【００３４】
×印状の切り込み８０の中心を指等で拡げて、図１２の（ａ）及び（ｂ）に示したようなマット開口２１とする。この場合、×印状の切り込み８０の大きさは植え付けたいポット苗７０の大きさに対応させればよいが、その大きさは作業開口１３が比較的大きなものとして形成してあるから、自由に行える。また、切り込み８０のカーッター等による形成は、袋状マット材２０Ａの上面が作業開口１３を構成している格子線材１２によって押さえつけられているから、安定した状態で簡単に行えるのである。
【００３５】
以上では、ポット苗７０の植え付けを例にして説明したが、植生植物Ｐの種子の播種の場合でも同様であることは言うまでもない。
【００３６】
植生植物Ｐの播種やポット苗７０の植え付けが済めば、各マット開口２１を、当該袋状マット材２０Ａの復元性を利用して閉じ、その上から初期かん水を行うのである。後述する実施形態の袋状マット材２０Ａは、合成樹脂「ペット」を主材料とする不織布状のマットであるから、切り込み８０を形成した直後では、未だ十分な復元性を有している。このため、マット開口２１を閉じて元の状態にしてやれば、図１３に示すように、×印を形成していた各三角片は、ポット苗７０の根本を覆うように、あるいは発芽してきた芽が十分伸び出られるような状態を維持したまま、閉じられることになるのである。勿論、播種やポット苗７０の植え付けがされた後には、植生植物Ｐの生育に必要な初期かん水を行うことは当然である。
【００３７】
以上の播種や植え付けは、パネル枠１０が垂直面３００に施工された支持枠２００に取り付けられている場合には、これで垂直面３００の緑化施工は完了したことになるが、パネル枠１０が生育場所に配置したものである場合には、緑化パネル１００を支持枠２００によって垂直面３００に取り付けることは当然である。
【００３８】
以上のような緑化パネル１００を施工した後に花や植生植物Ｐが生育すれば、図４及び図１４に示すように、各作業開口１３から花や植生植物Ｐが華やかに広がり、独立した壁掛けとした場合は勿論、図１に示した垂直面３００の植生や装飾を行った場合、そして図１８及び図１９に示したような面構造モニュメントを構成した場合に、相当豪華なものとすることができるのである。そして、この緑化パネル１００は、使用すべきポット苗７０や種子の種類や植え付け場所を変えることにより、非常に変化に富んだものとすることができるのである。
【００３９】
従って、この請求項１の緑化パネル１００は、
（イ）植生基材３０の入れ替えや、花や植生植物Ｐの植え替えが簡単に行える。
（ロ）花や植生植物Ｐのため播種や植え付け作業が外から容易に行える。
（ハ）垂直に立てられることになる植生基材３０を保護する袋状マット材２０Ａは、中の植生基材３０が外に零れ出ないようにし、これとは逆の、植生基材３０からの植生植物Ｐの発芽及び葉や茎の発生を良好にする。
（ニ）特に、花や植生植物Ｐとして、ある程度発根しかつ成長させてあって、植え付け後の生育管理が簡単に行える「ポット苗７０」も採用でき、単なる「緑」だけでなく「花」も楽しめる。
（ホ）それ単独で壁掛けとしたり、後述する支持枠２００を使用すれば、垂直面３００に対する取付や設置が良好に行える。
といった優れた機能を有したものとなっているのである。
【００４０】
上記課題を解決するために、請求項２に係る発明の採った手段は、同様に、
「少なくともポット苗７０の植え込みが可能な作業開口１３を少なくとも前面に形成したパネル枠１０と、このパネル枠１０の直ぐ内側に配置されて支持され、作業開口１３の外側からの切開作業が可能で吸水性及び復元性を有したマット材２０ｂと、このマット材２０ｂの内側に収納されて、植生植物Ｐを生育させるための植生基材３０またはこれを充填した立体網状マット４０とにより構成したことを特徴とする緑化パネル１００」
である。
【００４１】
すなわち、この請求項２の緑化パネル１００は、その大部分は上述した請求項１のそれと同様なのであるが、請求項１における袋状マット材２０Ａに変えてマット材２０Ｂを使用した点が異なっている。この緑化パネル１００は、そのマット材２０Ｂの内部に植生基材３０単独で充填したり、あるいは植生基材３０を充填した立体網状マット４０を、内部に保持するようにしたものである。この請求項２の緑化パネル１００は、図５に示してあるが、この図５中の部材で請求項１で説明したのと同じ部材に、図４で使用したのと同じ符号を付して、その説明を省略することにする。
【００４２】
マット材２０Ｂは、袋状マット材２０Ａと同様な材料を使用したものではあるが、袋状マット材２０Ａのように袋状にしたものではなく、単にシート状にしたものである。このようにすることにより、例えば垂直面３００側に面して播種やポット苗７０の植え付けがなされない面に該当するマット材２０Ｂとして、表面側のマット材２０Ｂより薄い材料のものや、もっとコストの低いものを使用できるようにすることができるのである。また、マット材２０Ｂをシート状のものとすることにより、袋状にする手間が省けるだけでなく、パネル枠１０の大きさ変化に自由に対応できて有利となる。
【００４３】
立体網状マット４０は、金属線材を使用して形成しても、合成樹脂性マットの密度を粗くしたものでもよいが、いずれにしても、吹き付けや手込め、あるいは客土等によって内部に植生基材３０を充填でき、しかも植生植物Ｐの根の成長に支障のない状態のものであれば何であってもよい。また、この立体網状マット４０は、上述した材料によって例えば厚さ５ｃｍ程度のマット状のものとして形成されるものであり、それだけである程度の剛性を有したものとするのが有利である。何故なら、このような立体網状マット４０であれば、パネル枠１０内への収納が簡単であり、長期間の使用によっても形状の維持がなされるからである。
【００４４】
このような立体網状マット４０は、図５の（ａ）に示すように、マット材２０Ｂの中の全体に入れて実施してもよいが、図５の（ｂ）に示すように、厚さが２ｃｍ〜５ｃｍ程度のものをマット材２０Ｂの植生植物Ｐとは反対側となる部分に入れて、残りを植生基材３０としてもよいものである。
【００４５】
以上の緑化パネル１００の施工において、立体網状マット４０を使用する場合には、これに対して吹き付けや手込め、あるいは客土等の手段によって植生基材３０を充填しなければならないことは、当然である。
【００４６】
以上のような緑化パネル１００を施工した後に花や植生植物Ｐが生育すれば、図５及び図１４に示すように、各作業開口１３から花や植生植物Ｐが華やかに広がり、独立した壁掛けとした場合は勿論、図１に示した垂直面３００の植生や装飾を行った場合、そして図１８及び図１９に示したような面構造モニュメントを構成した場合に、相当豪華なものとすることができるのである。そして、この緑化パネル１００は、使用すべきポット苗７０や種子の種類や植え付け場所を変えることにより、非常に変化に富んだものとすることができるのである。
【００４７】
従って、この請求項２の緑化パネル１００も、
（イ）植生基材３０の入れ替えや、花や植生植物Ｐの植え替えが簡単に行える。
（ロ）花や植生植物Ｐのため播種や植え付け作業が外から容易に行える。
（ハ）垂直に立てられることになる植生基材３０を保護する袋状マット材２０Ａは、中の植生基材３０が外に零れ出ないようにし、これとは逆の、植生基材３０からの植生植物Ｐの発芽及び葉や茎の発生を良好にする。
（ニ）特に、花や植生植物Ｐとして、ある程度発根しかつ成長させてあって、植え付け後の生育管理が簡単に行える「ポット苗７０」も採用でき、単なる「緑」だけでなく「花」も楽しめる。
（ホ）それ単独で壁掛けとしたり、後述する支持枠２００を使用すれば、垂直面３００に対する取付や設置が良好に行える。
といった優れた機能を有したものとなっているのである。
【００４８】
上記課題を解決するために、請求項３に係る発明の採った手段は、上記請求項１または請求項２に記載の緑化パネル１００について、
「パネル枠１０に吊下具１７を取り付けて、この吊下具１７を利用して支持枠２００に複数を取り付けることにより、垣根や垂直な面構造モニュメントを構成するか、あるいは、建物の壁、橋脚の表面、擁壁等の垂直面３００での植生を行うようにしたこと」
である。
【００４９】
すなわち、この請求項３の緑化パネル１００は、図６または図９に示すように、そのパネル枠１０に吊下具１７を取り付けたものであり、この吊下具１７を利用して支持枠２００の簡単に吊下できるようにしたものであり、垣根や図１８及び図１９に示すような垂直な面構造モニュメントを構成するか、あるいは、図１〜図３に示すように、建物の壁、橋脚の表面、擁壁等の垂直面３００での植生を行うようにしたものである。この吊下具１７としては、図７に示すタイプと、図９に示すタイプとの２種類が考えられる。
【００５０】
図７に示した吊下具１７は、図７の（ａ）に示すように、下端に折り曲げた一対の係止片１７ａを有し、上端部に取付穴１７ｂを形成したものであり、図７の（ｂ）に示すように、各係止片１７ａ間にパネル枠１０を構成している枠本体１１の格子線材１２が挿入されて、図７の（ｃ）に示すように、これら各係止片１７ａをさらに折り曲げることにより、図６の（ａ）〜（ｂ）にも示すように、パネル枠１０の上部に取り付けられるものである。また、この図７に示した吊下具１７は、その上端部に設けた取付穴１７ｂに挿通したアンカー２７等によって、所定個所に固定されるものである。
【００５１】
また、図９に示す吊下具１７は、長い線材を折り曲げて形成したものであり、全体形状が図９の（ａ）〜（ｃ）に示すように、略逆「Ｕ」字状となるようにしたものである。勿論、この吊下具１７は、パネル枠１０を構成している格子線材１２に溶接等の手段によって取り付けられるものである。
【００５２】
以上の各吊下具１７をパネル枠１０に取り付けた緑化パネル１００は、例えば図１や図１５の（ａ）に示すように、支持枠２００に対して吊下されるのであるが、この緑化パネル１００を吊下するための支持枠２００は、後述する実施の形態で例示するように、例えば図３に示すような橋脚３１０の周囲に組み付けられたり、図１８及び図１９に示すような垂直面構造モニュメントを構成するものである。
【００５３】
従って、この請求項３に係る緑化パネル１００は、上述した請求項１または請求項２のそれと同じ機能を有する他、その吊下具１７によって、垣根や垂直な面構造モニュメントを構成でき、建物の壁、橋脚の表面、擁壁等の垂直面３００での植生をも行うことのできるものとなっているのである。
【００５４】
さて、上記課題を解決するために、請求項４に係る発明の採った手段は、上記請求項１〜請求項３のいずれかの緑化パネル１００について、
「パネル枠１０を、断面略コ字状の第１支持枠本体１１ａと、これに合わせたときに略箱状の収納部を形成することになる断面略コ字状の第２支持枠本体１１ｂと、これらの第１及び第２支持枠本体１１ａ・１１ｂの端部同士を留める留め線材１４とにより構成ししたこと」
である。
【００５５】
すなわち、パネル枠１０は、上述したように、多数の格子線材１２を使用して構成したものであったが、この請求項４の緑化パネル１００では、そのパネル枠１０を、図６の（ａ）及び（ｂ）に示すように、断面が略コ字状となる第１支持枠本体１１ａ及び第２支持枠本体１１ｂを形成しておき、これらの第１支持枠本体１１ａ及び第２支持枠本体１１ｂを、図６の（ｃ）に示すように合わせて構成したものである。そして、これらの第１支持枠本体１１ａ及び第２支持枠本体１１ｂは、その各端部同士を留め線材１４によって互いに留めることにより、内部に後述する袋状マット材２０Ａやマット材２０Ｂが収納できる収納部を有した略箱状のパネル枠１０とするようにしたのである。
【００５６】
これを逆に言えば、パネル枠１０内に収納してあった袋状マット材２０Ａやマット材２０Ｂを交換したい場合には、当該パネル枠１０を支持枠２００から取り外して、各留め線材１４を外すことにより、第１支持枠本体１１ａと第２支持枠本体１１ｂとに簡単に分離できるのであり、これらの第１支持枠本体１１ａ及び第２支持枠本体１１ｂは、そのまま次のあるいは別の植生を行うのに再利用することができるものとなる。つまり、これらの第１支持枠本体１１ａ及び第２支持枠本体１１ｂを利用して、次の季節等のための袋状マット材２０Ａまたはマット材２０Ｂを収納部に入れてパネル枠１０とすれば、そのまま次期の植生等に利用できるものとなり、その作業も非常に簡単になっているものである。
【００５７】
従って、この請求項４の緑化パネル１００は、上記請求項１〜３のそれと実質的に同じ機能を有する他、次の季節等のための袋状マット材２０Ａまたはマット材２０Ｂを収納部に入れてパネル枠１０とすれば、そのまま次期の植生等に利用できるものとなり、その作業も非常に簡単になっているものである。
【００５８】
さらに、上記課題を解決するために、請求項５に係る発明の採った手段は、上記請求項１〜請求項３のいずれかの緑化パネル１００について、
「パネル枠１０を、複数の格子線材１２〜１２によって上面が開放されて挿入口１６となる略箱形の箱枠１１ｃとし、挿入口１６部分に開閉自在な開閉扉１１ｄを設けたこと」
である。
【００５９】
すなわち、この請求項５の緑化パネル１００は、図９の（ａ）〜（ｃ）に示すように、複数の格子線材１２〜１２によって箱枠１１ｃを形成するようにしたものであるが、この箱枠１１ｃでは、図９の（ｃ）に示すように、当該緑化パネルを立てたとき上面となる部分に挿入口１６を形成したものであり、この挿入口１６は、格子線材１２の一部に連結した開閉扉１１ｄによって開閉自在としたものである。
【００６０】
つまり、パネル枠１０内には、袋状マット材２０Ａまたはマット材２０Ｂを収納しなければならないのであるが、これらは図９の（ｃ）中の仮想線にて示すように、開閉扉１１ｄを開けて挿入口１６を開放し、ここから袋状マット材２０Ａまたはマット材２０Ｂを収納できるようにしたものである。勿論、袋状マット材２０Ａ等の収納が済めば、開閉扉１１ｄを閉じるのである。
【００６１】
従って、この請求項４の緑化パネル１００は、上記請求項１〜３のそれと実質的に同じ機能を有する他、次の季節等のための袋状マット材２０Ａまたはマット材２０Ｂを収納部に入れてパネル枠１０とすれば、そのまま次期の植生等に利用できるものとなり、その作業も非常に簡単になっているものである。
【００６２】
また、上記課題を解決するために、請求項６に係る発明の採った手段は、上記請求項１〜請求項５のいずれかに記載の緑化パネル１００について、
「袋状マット材２０Ａまたはマット材２０ｂは、合成樹脂繊維を不織布状に成形したものであり、厚さが２ｍｍ〜１０ｍｍであること」
である。
【００６３】
すなわち、この請求項６の緑化パネル１００では、これを構成している袋状マット材２０Ａまたはマット材２０ｂとして、合成樹脂繊維を不織布状に成形したものを採用したものである。
【００６４】
このような袋状マット材２０Ａまたはマット材２０ｂを採用することにより、例えば捨てられたペットボトル等の合成樹脂廃材をリサイクルできることになるし、椰子殻や天然繊維を使用した場合に比較して、腐食しにくいものであるから耐久性に優れているだけでなく、道路を走行する車の中から捨てられたタバコの火によっても発火しない難燃性のものとすることもできるのである。
【００６５】
また、これらの袋状マット材２０Ａまたはマット材２０ｂには、図１１に示したような切り込み８０が入れられるのであるが、この切り込み８０が図１２に示したように拡げられた後にも、図１３に示したような元に簡単に戻る十分な復元性を有したものとすることができて、植生基材３０の零れ出を防止できるのである。さらには、合成樹脂繊維を不織布状に成形した袋状マット材２０Ａまたはマット材２０ｂは、十分な吸水性と保水性を有したものとなることは言うまでもない。
【００６６】
従って、この請求項６の緑化パネル１００は、上記「発明が解決しようとする課題」の項で述べた、（イ）〜（ホ）の目的をより一層確実にし得るものとなっているのである。
【００６７】
そして、上記課題を解決するために、請求項７に係る発明の採った手段は、上記請求項１〜請求項５のいずれかに記載の垂直面緑化のための緑化パネル１００について、
「植生基材３０の上または上部内に、当該植生基材３０内へのかん水を行い、かつ少なくとも一端にて他の緑化パネル１００側へ連結し得る連結部５１を有したかん水パイプ５０を収納したこと」
である。
【００６８】
すなわち、この請求項７の緑化パネル１００では、これが、図４または図５に示すように、植生基材３０の上または上部内にかん水パイプ５０を収納して、このかん水パイプ５０が既にセットされたものとしたものである。また、このかん水パイプ５０の少なくとも一端には、図４または図５に示したように、他の緑化パネル１００側へ連結し得る連結部５１が設けてあり、この連結部５１を利用することにより、図１、図１８、あるいは図１９の（ａ）や（ｂ）に示すような多数の緑化パネル１００を連結した場合の自動かん水を効果的に行えるのである。
【００６９】
従って、この請求項７の緑化パネル１００も、上記請求項１〜請求項５のそれと同様な機能を発揮することは勿論、かん水作業の自動化が十分行えるものとなっているのである。
【００７０】
【発明の実施の形態】
次に、以上のように構成した各請求項に係る発明を、図面に示した実施の形態である緑化パネル１００について説明する。この実施形態の緑化パネル１００は、図４に示した実施例１と、図５に示した実施例２とに分かれるものであり、それぞれの施工方法とともに説明するが、その前に、これらの緑化パネル１００を取り付けて、図１８及び図１９に示した垣根や垂直な面構造モニュメントを構成したり、あるいは図１等に示した建物の壁や橋脚の表面、あるいは擁壁等の垂直面３００に対して組み付けたりするための支持枠２００について説明することとする。
【００７１】
支持枠２００は、図１〜図３に示したように、多数の緑化パネル１００を垂直面３００側に組み付けて、当該垂直面３００の表面を各緑化パネル１００に植生された植生植物Ｐによって覆うようにするものであるが、後述する各緑化パネル１００の取付が簡単にしかも確実に行えるようにしているものである。
【００７２】
本実施形態において採用している支持枠２００は、図１〜図５に示したように、垂直面３００を構成している例えば橋脚３１０の周囲を囲むように基礎２１０上に設置されるか、図１８等のようにそれ単独で面構造のモニュメントを構成することができるものであり、多数の支持パイプ２１１をパイプ連結部材２１２を利用して縦横に組み立てて、図１５に示したような支持枠本体２００Ａとして、これらにより橋脚３１０の周囲を囲むか、図１６（ａ）に示したような枠状のものとしたものである。勿論、この支持枠２００は、図１〜図３に示すように、多数の緑化パネル１００を橋脚３１０等の垂直面３００側に組み付けて、当該垂直面３００の表面を各緑化パネル１００に植生された植生植物Ｐによって覆うようにするものであるが、各緑化パネル１００の取付を簡単にしかも確実に行えるようにしたものである。
【００７３】
パイプ連結部材２１２としては、図１６の（ｂ）に示すような各支持パイプ２１１の端部同士を連結するものか、あるいは図１５の（ｂ）に示すような各支持パイプ２１１を挿通して連結するタイプのものを採用した。図１６の（ｂ）に示したパイプ連結部材２１２は、図１６の（ｃ）に示したような端部連結具２１２ａを各支持パイプ２１１の端部開口内に挿入してこれに固定し、これらの端部連結具２１２ａをパイプ連結部材２１２によってそれぞれ連結するものである。この図１６（ｂ）に示したパイプ連結部材２１２を使用することによって、図１６の（ａ）に示した平板状の支持枠本体２００Ａとすることができる。
【００７４】
一方、図１５の（ｂ）に示したパイプ連結部材２１２は、互いに直交する複数のパイプ挿通穴を有するもので、それぞれのパイプ挿通穴内に支持パイプ２１１を挿通して複数の支持パイプ２１１を直交状態で連結するものである。この図１５の（ｂ）に示したパイプ連結部材２１２は、これを使用することにより、幅のあるパネル枠１０を、図１５の（ａ）に示したように、２本の支持パイプ２１１間に吊下するのに有利となる支持枠２００とするものである。この図１５の（ａ）に示した支持枠２００は、各パネル枠１０、従って緑化パネル１００の両面が見えるように支持することができるため、図１８あるいは図１９に示した後述する垂直な面構造モニュメントとすることができるものである。
（実施例１）
図４には、本発明の実施例１に係る緑化パネル１００が示してある。この緑化パネル１００は、これ単独で使用したり、支持枠２００により垂直面３００側に取り付けて使用するものである。この緑化パネル１００は、少なくともポット苗７０の植え込みが可能な作業開口１３を少なくとも前面に形成したパネル枠１０と、このパネル枠１０の直ぐ内側に配置されて支持され、作業開口１３の外側からの切開作業が可能で吸水性及び復元性を有した袋状マット材２０Ａと、この袋状マット材２０Ａの内側に充填されて、植生植物Ｐを生育させるための植生基材３０とにより構成してある。
【００７５】
パネル枠１０は、図６〜図９に示したように、多数の格子線材１２を組み合わせて形成したものであり、各格子線材１２によって形成された開口が、図１１〜図１４に示すように、少なくともポット苗７０の植え付けが外から行える程度の大きさ（９ｃｍ〜１２ｃｍ程度の四角）の作業開口１３となるようにしてある。
【００７６】
これらのパネル枠１０は、図６の（ａ）及び（ｂ）に示した例の場合には、多数の格子線材１２を使用して断面が略コ字状となる第１支持枠本体１１ａ及び第２支持枠本体１１ｂを形成しておき、これらの第１支持枠本体１１ａ及び第２支持枠本体１１ｂを、図６の（ｃ）に示したように合わせる。そして、これらの第１支持枠本体１１ａ及び第２支持枠本体１１ｂの各端部同士を留め線材１４によって互いに留めることにより、内部に後述する袋状マット材２０Ａやマット材２０Ｂが収納できる収納部を有した略箱状のパネル枠１０とするようにしたのである。
【００７７】
これを逆に言えば、パネル枠１０内に収納してあった袋状マット材２０Ａやマット材２０Ｂを交換したい場合には、当該パネル枠１０を支持枠２００から取り外して、各留め線材１４を外すことにより、第１支持枠本体１１ａと第２支持枠本体１１ｂとに簡単に分離できるのであり、これらの第１支持枠本体１１ａ及び第２支持枠本体１１ｂは、そのまま次のあるいは別の植生を行うのに再利用することができるものとなる。つまり、これらの第１支持枠本体１１ａ及び第２支持枠本体１１ｂを利用して、次の季節等のための袋状マット材２０Ａまたはマット材２０Ｂを収納部に入れてパネル枠１０とすれば、そのまま次期の植生等に利用できるものとなり、その作業も非常に簡単になっているものである。
【００７８】
なお、この実施例のパネル枠１０においては、図６の（ｂ）に示したように、例えばパネル枠１０の底となる第２支持枠本体１１ｂの一部に補強アングル１５を設けておき、この補強アングル１５によって直下に位置することになる支持枠２００の支持パイプ２１１上に支持させるようにしている。つまり、この補強アングル１５は、簡単な袋状マット材２０Ａ金具によって構成したものであり、パネル枠１０全体の補強を下部にて行うものである。
【００７９】
これらの第１支持枠本体１１ａ及び第２支持枠本体１１ｂは、図６の（ａ）及び（ｂ）に示したように、格子線材１２を組み合わせて構成したものであり、これらの格子線材１２によってそれぞれ作業開口１３が形成される。つまり、これらの第１支持枠本体１１ａ及び第２支持枠本体１１ｂは、外から見たとき、図８の（ａ）にも示したような大きな作業開口１３を有したものであり、各格子線材１２が植生植物Ｐの生育に邪魔にならないものとしただけでなく、図１１等に示したような作業開口１３からの作業を外から行い易くしているものである。勿論、これらの第１支持枠本体１１ａ及び第２支持枠本体１１ｂには、防錆のためのメッキを施したものが、再利用する上で有利である。
【００８０】
これらの第１支持枠本体１１ａ及び第２支持枠本体１１ｂを留める留め線材１４は、自由に折れ曲げられる所謂鉄線であれば十分であるが、これに合成樹脂による皮膜を施したものであってもよい。このような留め線材１４は、第１支持枠本体１１ａ及び第２支持枠本体１１ｂの留めは勿論、その外しも自由に行えるものであり、第１支持枠本体１１ａ及び第２支持枠本体１１ｂの再利用性をさらに向上させるものである。
【００８１】
以上のパネル枠１０は、図９に示した態様のものともすることができる。すなわち、この図９に示したパネル枠１０は、複数の格子線材１２〜１２によって箱枠１１ｃを形成するようにしたものであるが、この箱枠１１ｃでは、図９の（ｃ）に示したように、当該緑化パネルを立てたとき上面となる部分に挿入口１６を形成したものであり、この挿入口１６は、格子線材１２の一部に連結した開閉扉１１ｄによって開閉自在としてある。
【００８２】
つまり、パネル枠１０内には、袋状マット材２０Ａまたはマット材２０Ｂを収納しなければならないのであるが、これらは図９の（ｃ）中の仮想線にて示したように、開閉扉１１ｄを開けて挿入口１６を開放し、ここから袋状マット材２０Ａまたはマット材２０Ｂを収納できるようにしてある。勿論、袋状マット材２０Ａ等の収納が済めば、開閉扉１１ｄを閉じるのである。
【００８３】
以上のように構成したパネル枠１０の直ぐ内側には、図４に示したように、吸水性及び復元性を有した袋状マット材２０Ａが配置されて支持されるのである。この袋状マット材２０Ａは、作業開口１３の外側からの切開作業が可能で吸水性及び復元性を有したものであり、ペットのような合成樹脂の繊維を不織布状に成形したものである。勿論、この袋状マット材２０Ａは、図４に示したように、中に植生基材３０を充填してからパネル枠１０内に挿入しなければならないものであるから、文字通り袋状のものとしてある。
【００８４】
この袋状マット材２０Ａは、図４に示した状態になったとき、内部の植生基材３０の零れ出を防止することは当然として、図１１及び図１２に示したような切り込み８０を入れて拡げたとしても、それ自体の、あるいは水を含んだときの復元性によって、図１３に示したように、再び閉じるものである。つまり、この袋状マット材２０Ａは、内部の植生基材３０の漏れ出を、これに切り込み８０を入れたときもそうでないときも、確実に防止するものである。
【００８５】
そのためには、この袋状マット材２０Ａの厚さを、２ｍｍ〜１０ｍｍのものとするとよい。その理由は、十分な復元性を当該袋状マット材２０Ａに付与するためであり、２ｍｍより薄いと十分な復元性がなく耐久性や保水性にも劣ることになるのであり、１０ｍｍより厚いと復元性、耐久性、及び保水性には十分であっても、ポット苗７０の植え付けや播種のための切り込み８０の形成が困難となるからである。
【００８６】
この袋状マット材２０Ａの内側に充填されて、植生植物Ｐを生育させるための植生基材３０は、ポット苗７０あるいは植生植物Ｐの生育に十分なものであれば種々なものが適用できるのであり、本実施例では、パーライトと有機物とを混合させた、例えば屋上緑化に利用されている人工土壌を採用している。また、この植生基材３０は、袋状マット材２０Ａ内に充填されてしまって外部に漏れ出ることがないのであるから、その粒度や性質には特に限定条件が要求されるものではない。
【００８７】
そして、この緑化パネル１００については、図４に示したように、植生基材３０の上または上部内に、当該植生基材３０内へのかん水を行い、かつ少なくとも一端にて他の緑化パネル１００側へ連結し得る連結部５１を有したかん水パイプ５０が収納してある。すなわち、本実施形態の緑化パネル１００では、かん水パイプ５０が既にセットされていて、このかん水パイプ５０は、その少なくとも一端に設けた連結部５１によって他の緑化パネル１００側へ連結し得るものあり、この連結部５１を利用することにより、図１、図１８、あるいは図１９の（ａ）や（ｂ）に示したような面構造モニュメントを構成した場合の自動かん水を効果的に行えるようにしてある。
【００８８】
以上の緑化パネル１００を施工するには、植生基材３０を充填した袋状マット材２０Ａを、支持枠２００（図１や図１８等の場合）やアンカー２７（図４及び図５に示した場合）によって垂直面３００等に固定あるいは支持した、または地面や圃場等の図示しない生育場所に配置したパネル枠１０内に挿入する。
【００８９】
つまり、ここでは、緑化パネル１００を構成しているパネル枠１０が、図１や図４に示したように、既に支持枠２００に吊下した場合と、圃場等の図示しない生育場所に設置されている２通りを考慮しているのである。特に、パネル枠１０を生育場所に設置するのは、この緑化パネル１００にポット苗７０の植え付けや植生植物Ｐの播種等を垂直面３００ではない場所で行い、ある程度に生育した植生植物Ｐをパネル枠１０毎、施工現場である垂直面３００に運んで、当該緑化パネル１００の施工が完了したときには、図１４に示したように、植生植物Ｐが花が咲いている状態にしたい場合があるからである。
【００９０】
次に、パネル枠１０の作業開口１３から袋状マット材２０Ａを切開して切り込み８０を形成し、これを拡げることによりできたマット開口２１から植生基材３０内に、播種またはポット苗７０の植え付けを行うのである。図１１〜図１３には、ポット苗７０の植え込みを行う場合の例が示してあるが、図１１に示したように、パネル枠１０の作業開口１３からは袋状マット材２０Ａの表面が大きく露出しているから、この作業開口１３からカッター等の挿入が簡単に行えるから、このカッターによって切り込み８０を袋状マット材２０Ａに形成するのである。そして、×印状の切り込み８０の中心を指等で拡げて、図１２の（ａ）及び（ｂ）に示したようなマット開口２１とする。以上の作業は、ポット苗７０の植え付けを例にして説明したが、植生植物Ｐの種子の播種の場合でも同様である。
【００９１】
そして、植生植物Ｐの播種やポット苗７０の植え付けが済めば、各マット開口２１を、当該袋状マット材２０Ａの復元性を利用して閉じ、その上から初期かん水を行うのである。
【００９２】
以上の播種や植え付けは、パネル枠１０が垂直面３００に施工された支持枠２００に取り付けられている場合には、これで垂直面３００の緑化施工は完了したことになるが、パネル枠１０が生育場所に配置したものである場合には、緑化パネル１００を支持枠２００によって垂直面３００に取り付けることは当然である。
（実施例２）
図５には、本発明の実施例２に係る緑化パネル１００が示してあるが、この実施例２に係る緑化パネル１００の大部分は、上述した実施例１のそれと同様であって、実施例１における袋状マット材２０Ａに代えてマット材２０Ｂを使用した点が異なっている。そこで、この実施例２の緑化パネル１００では、その図５中に示した部材で実施例１で説明したのと同じものに、図４で使用したのと同じ符号を付して、その説明を省略する。
【００９３】
マット材２０Ｂは、袋状マット材２０Ａと同様な材料を使用したものではあるが、袋状マット材２０Ａのように袋状にしたものではなく、単にシート状にしたものであり、表面側のマット材２０Ｂより薄い材料のものや、もっとコストの低いものを使用できるようにすることができる。また、マット材２０Ｂをシート状のものとすることにより、袋状にする手間が省けるだけでなく、パネル枠１０の大きさ変化に自由に対応できる。
【００９４】
立体網状マット４０は、金属線材を使用して形成しても、合成樹脂性マットの密度を粗くしたものでもよいが、いずれにしても、吹き付けによって内部に植生基材３０を充填でき、しかも植生植物Ｐの根の成長に支障のない状態のものであれば何であってもよい。この立体網状マット４０は、図５の（ａ）に示すように、マット材２０Ｂの中の全体に入れて実施したものであってもよいが、図５の（ｂ）に示すように、厚さが２ｃｍ〜５ｃｍ程度のものをマット材２０Ｂの植生植物Ｐとは反対側となる部分に入れて、残りを植生基材３０としてもよい。
【００９５】
以上の緑化パネル１００の施工において、立体網状マット４０を使用する場合には、これに対して吹き付けや手込め、あるいは客土等の手段によって植生基材３０を充填しなければならないことは、上述した通りである。その後の各工程は、上記実施例１の場合と略同じとなることは言うまでもない。
【００９６】
また、これらの各緑化パネル１００は、図１に示した状態で垂直面３００を有する橋脚等の植生を行うだけでなく、例えば、図１８、あるいは図１９の（ａ）及び（ｂ）に示したような形状の柱（面構造モニュメント）についても植生を行うことができる。
【００９７】
これらの図１８あるいは図１９に示した状態からすると、その中に柱等の構造物が必ずしも入っている必要がないことが分かる。つまり、各緑化パネル１００を支持枠２００によって独立したものとすることにより、本発明に係る緑化パネル１００は、例えば大きなホールの中や地下街の交差点等に花を咲かせた「オブジェ」としての役割をも果たすことができるものである。そうであれば、これらの緑化パネル１００は、図１８の（ａ）に示した三角形状の場合に限らず、図１９の（ａ）あるいは（ｂ）に示したような正方形状のものとしても実施できる。なお、図１９の（ａ）で示した例では、各緑化パネル１００間を連結具によって互いに連結させた場合を示しており、図１９の（ｂ）で示した例では、各緑化パネル１００間を直接互いに連結させた場合を示している。
【００９８】
そして、以上のいずれの緑化パネル１００でも言えることであるが、緑化パネル１００を構成しているパネル枠１０には、比較的大きな作業開口１３が形成してあるのであるから、図４または図５に示したように、ポット苗７０等の植え付けを行ってない部分にポケット６０を取り付け、このポケット６０中に植生基材３０を入れてこれに植生植物Ｐを植栽すれば、非常に華やかな植生や装飾を行うことができるものである。
【００９９】
【発明の効果】
以上の通り、本発明は、上記実施形態で説明した通り、
「少なくともポット苗７０の植え込みが可能な作業開口１３を少なくとも前面に形成したパネル枠１０と、このパネル枠１０の直ぐ内側に配置されて支持され、作業開口１３の外側からの切開作業が可能で吸水性及び復元性を有した袋状マット材２０Ａと、この袋状マット材２０Ａの内側に充填されて、植生植物Ｐを生育させるための植生基材３０またはこれを充填した立体網状マット４０とにより構成」
あるいは、
「少なくともポット苗７０の植え込みが可能な作業開口１３を少なくとも前面に形成したパネル枠１０と、このパネル枠１０の直ぐ内側に配置されて支持され、作業開口１３の外側からの切開作業が可能で吸水性及び復元性を有したマット材２０ｂと、このマット材２０ｂの内側に収納されて、植生植物Ｐを生育させるための植生基材３０、またはこれを充填した立体網状マット４０とにより構成」したことにその構成上の主たる特徴があり、これにより、
（イ）植生基材３０の入れ替えや、花や植生植物Ｐの植え替えが簡単に行える。
（ロ）花や植生植物Ｐのため播種や植え付け作業が外から容易に行える。
（ハ）垂直に立てられることになる植生基材３０を保護する袋状マット材２０Ａやマット材２０Ｂは、中の植生基材３０が外に零れ出ないようにし、これとは逆の、植生基材３０からの植生植物Ｐの発芽及び葉や茎の発生を良好にする。
（ニ）特に、花や植生植物Ｐとして、ある程度発根しかつ成長させてあって、植え付け後の生育管理が簡単に行える「ポット苗７０」も採用でき、単なる「緑」だけでなく「花」も楽しめる。
（ホ）垂直面３００に対する取付や設置が良好に行える。
といった優れた効果を発揮することができるのである。
【図面の簡単な説明】
【図１】本発明に係る緑化パネルを橋脚の垂直面に取り付けた状態の正面図である。
【図２】同緑化パネルの平面図である。
【図３】同緑化パネルを橋脚に取り付けた状態を示すものであり、（ａ）はその正面図、（ｂ）は側面図である。
【図４】請求項１に係る緑化パネルの拡大縦断面図である。
【図５】請求項２に係る緑化パネルを示すもので、（ａ）は立体網状マットを全体的に入れた場合の拡大縦断面図、（ｂ）は立体網状マットを部分的に入れた場合の拡大縦断面図である。
【図６】請求項４に係るパネル枠を構成する順序を示すもので、（ａ）は第１枠本体の斜視図、（ｂ）は第２枠本体の斜視図、（ｃ）は完成された枠本体の斜視図である。
【図７】吊下具の一例を示すもので、（ａ）は全体斜視図、（ｂ）は枠本体を係止させたときの斜視図、（ｃ）は係止片を折り曲げたときの斜視図である。
【図８】図７の吊下具を利用して枠本体を支持パイプに取り付けた状態を示すもので、（ａ）は斜視図、（ｂ）は横断面図である。
【図９】請求項５に係るパネル枠を示すもので、（ａ）は正面図、（ｂ）は平面図、（ｃ）は縦断側面図である。
【図１０】袋状マット材を示すもので、（ａ）は背面図、（ｃ）は右側面図である。
【図１１】パネル枠の作業開口から切り込みを形成した状態を示すもので、（ａ）はその部分拡大図、（ｂ）は（ａ）の縦断面図である。
【図１２】切り込みを開いてマット開口を形成した状態を示すもので、（ａ）はその部分拡大図、（ｂ）は（ａ）の縦断面図である。
【図１３】マット開口からポット苗を植え付けた後このマット開口を閉じた状態を示すもので、（ａ）はその部分拡大図、（ｂ）は（ａ）の縦断面図である。
【図１４】本発明に係る緑化パネルであって、花を植え付けた状態の正面図である。
【図１５】緑化パネルまたはこれを構成しているパネル枠を支持枠に取り付けた状態を示すものであり、（ａ）はその全体斜視図、（ｂ）は支持パイプとパイプ連結部材との取付関係を示す部分拡大斜視図である。
【図１６】支持枠を構成している支持枠本体を示すもので、（ａ）はその正面図、（ｂ）はこれに使用しているパイプ連結具の斜視図、（ｃ）はこのパイプ連結具を構成している固定部材の拡大斜視図である。
【図１７】支持枠を垂直面に取り付ける１つの手段である壁つなぎを示すもので、（ａ）は平面図、（ｂ）は側面図、（ｃ）は正面図である。
【図１８】本発明に係る緑化パネルを利用して建物の柱を囲んだり、中に何もない状態で組み付けて面構造モニュメントとしたときの状態を示すもので、（ａ）は平面図、（ｂ）は正面図である。
【図１９】図１８の（ａ）に対応する平面図であり、（ａ）は各緑化パネルの端部を連結材を介して連結したときを、（ｂ）は各緑化パネルを直接連結したときをそれぞれ示す平面図である。
【図２０】特許文献１に記載された技術を示す部分拡大断面図である。
【図２１】特許文献２に記載された技術を示す分解斜視図である。
【図２２】特許文献３に記載された技術を示す平面図（ａ）、部分破断正面図（ｂ）、及び縦断面図（ｃ）である。
【符号の説明】
１００  緑化パネル
１０  パネル枠
１１  枠本体
１１ａ  第１支持枠本体
１１ｂ  第２支持枠本体
１１ｃ  箱枠
１１ｄ  開閉扉
１２  格子線材
１３  作業開口
１４  留め線材
１５  補強アングル
１６  挿入口
１７  吊下具
１７ａ  係止片
１７ｂ  取付穴
２０Ａ  袋状マット材
２０Ｂ  マット材
２１  マット開口
２２  保水シート
２３  開閉蓋
２４  面ファスナー
２５  ポケット
２６  補強マット
２７  アンカー
３０  植生基材
４０  立体網状マット
５０  かん水パイプ
５１  連結部
６０  ポケット
７０  ポット苗
８０  切り込み
２００  支持枠
２００Ａ  支持枠本体
２１０  基礎
２１１  支持パイプ
２１２  パイプ連結部材
２１４  連結具
２１５  ワイヤロープ
２１６  アンカー
２１７  壁つなぎ
３００  垂直面
Ｐ  植生植物
【図１】
2004254559.tif 000003
【図２】
2004254559.tif 000004
【図３】
2004254559.tif 000005
【図４】
2004254559.tif 000006
【図５】
2004254559.tif 000007
【図６】
2004254559.tif 000008
【図７】
2004254559.tif 000009
【図８】
2004254559.tif 000010
【図９】
2004254559.tif 000011
【図１０】
2004254559.tif 000012
【図１１】
2004254559.tif 000013
【図１２】
2004254559.tif 000014
【図１３】
2004254559.tif 000015
【図１４】
2004254559.tif 000016
【図１５】
2004254559.tif 000017
【図１６】
2004254559.tif 000018
【図１７】
2004254559.tif 000019
【図１８】
2004254559.tif 000020
【図１９】
2004254559.tif 000021
【図２０】
2004254559.tif 000022
【図２１】
2004254559.tif 000023
【図２２】
2004254559.tif 000024